(57)【要約】【課題】            広範な濾過領域に基づく水の浄化を可能とするホタルの培養施設の構成を提供すること。【解決手段】        ホタルの産卵及び卵の孵化、及び成長した幼虫の蛹化を行うための湿潤した床土２とホタルの幼虫が蛹化して育成される培養水路１との組み合わせによるホタル養殖施設において、培養水路１に複数個の水透過孔４１を有している導水パイプ４を埋設し、当該導水パイプ４の上部及び側部に水透過孔４１から排出された水１０を濾過する濾過土３１を敷設したことによる濾過用水路３を設け、当該濾過用水路３から水１０を前記培養水路１及び前記床土２に供給することに基づき、十分浄化した水１０を培養水路１及び床土２に供給することが可能であるホタル養殖施設。【選択図】          図１
2005124465.tif 000002
【特許請求の範囲】
【請求項１】
ホタルの産卵及び卵の孵化、及び成長した幼虫の蛹化を行うための湿潤した床土とホタルの幼虫が蛹化して育成される培養水路との組み合わせによるホタル養殖施設において、培養水路に複数個の水透過孔を有している導水パイプを埋設し、当該導水パイプの上部及び側部に水透過孔から排出された水を濾過する濾過土を敷設したことによる濾過用水路を設け、当該濾過用水路から水を前記培養水路及び前記床土に供給することに基づくホタル養殖施設。
【請求項２】
濾過用水路に対し、外部から水を供給する供給口及び外部に水を排出する排出口を設けて培養水路、及び床土との間にて水を循環させることを特徴とする請求項１記載のホタル養殖施設。
【請求項３】
濾過用水路に対し、外部から水を供給する供給口及び外部に水を排出する排出口を設けずに、培養水路及び床土との間にて水を循環させることを特徴とする請求項１記載のホタル養殖施設。
【請求項４】
床土において、濾過用水路から供給された水を透過するための複数個の水透過孔を有する導水パイプを埋設していることを特徴とする請求項１記載のホタル養殖施設。
【請求項５】
濾過用水路の濾過土内に、複数個の空気透過孔を有する空気透過パイプを埋設したことを特徴とする請求項１記載のホタル養殖施設。
【発明の詳細な説明】
【技術分野】
【０００１】
本発明は、産卵→孵化→幼虫の成長→蛹化→成虫の順序によるホタル養殖施設に関するものである。
【背景技術】
【０００２】
ホタル養殖施設は、産卵、孵化及び成長した幼虫の蛹化が行われる床土と幼虫が成長する培養水路との組み合わせによって構成されているが、床土は、一定の湿潤状態であることを必要とすることから、当然水の供給を不可欠とする。
【０００３】
単に床土及び培養水路に外部から水を供給し、かつ外部に排出するだけでは、害虫、汚泥などの侵入を防止することができない。
【０００４】
このような害虫、汚泥などの侵入を防止するために、外部からの水供給口に濾過槽を設け、浄化した水を供給する構成も使用されているが、単に入口のみの濾過槽では、十分な浄化を実現することができない。
【０００５】
即ち、広範な領域による濾過槽を設け、水の浄化を行うような構成は、これまで提唱されていない。
【０００６】
【特許文献１】特開平０８−３２２４２８
【特許文献２】特開２０００−１５７１０１
【特許文献３】特開２００１−１７８３０６
【特許文献４】特開２００２−２８１８６５
【発明の開示】
【発明が解決しようとする課題】
【０００７】
本発明は、広範な濾過領域に基づく水の浄化を可能とするホタルの培養施設の構成を提供することを課題とするものである。
【課題を解決するための手段】
【０００８】
前記課題を解決するため、本発明の構成は、ホタルの産卵及び卵の孵化、及び成長した幼虫の蛹化を行うための湿潤した床土とホタルの幼虫が蛹化して育成される培養水路との組み合わせによるホタル養殖施設において、培養水路に複数個の水透過孔を有している導水パイプを埋設し、当該導水パイプの上部及び側部に水透過孔から排出された水を濾過する濾過土を敷設したことによる濾過用水路を設け、当該濾過用水路から水を前記培養水路及び前記床土に供給することに基づくホタル養殖施設からなる。
【発明の効果】
【０００９】
本発明によるホタル培養施設においては、培養水路と独立した濾過用水路を設けており、濾過用水路の水の容量を任意に調整可能にすると共に、培養水路及び床土に必要な水量に対応して、濾過用水路の面積及び濾過土の厚さなどを必要に応じて設定することによって、十分浄化された水を床土及び培養水路に供給し、ホタルの養殖を安全な状態にて実現することができる。
【発明を実施するための最良の形態】
【００１０】
本発明は、図１に示すように、濾過用水路３に複数個の水透過孔４１を有している導水パイプ４を埋設し、当該導水パイプ４から水透過孔４１を介して排出された水１０を敷設した濾過土３１によって濾過しているが、濾過用水路３の面積及び濾過土３１の厚さは、床土２及び培養水路１が必要とする水１０の量に応じて任意に設定することが可能である。
【００１１】
導水パイプ４を安定した状態に埋設するためには、単に濾過土３１の下側に設置するのではなく、図１（及び後述する図３）に示すように、導水パイプ４の周囲を硬質ファイバーマット４２によって固着した状態とすることが望ましい。
【００１２】
濾過土３１としては、通常桂砂、砂利などのように、粒子間において隙間を形成し易い土砂を採用することが好ましい。
【００１３】
また、短期間に水を浄化することを目的として、木炭粉を混入することも可能である。
【００１４】
濾過用水路３においては、図２（ａ）に示すように、濾過用水路３に対し、外部から水１０を供給する供給口及び外部に水を排出する排出口を設けて培養水路１、及び床土２との間にて水１０を循環させることによる構成、及び図２（ｂ）に示すように、濾過用水路３に対し、外部から水１０を供給する供給口及び外部に水１０を排出する排出口を設けずに、培養水路１及び床土２との間にて水１０を循環させることによる構成の何れをも採用可能である。
【００１５】
床土２を湿潤状態とするためには、床土２内に複数個の水透過孔４１を有する導水パイプ４を埋設し、濾過用水路３と連通する構成が通常採用されている。
【００１６】
尚、床土２に埋設した導水パイプ４は、図２（ａ）、（ｂ）の点線によって示すが、その断面図による具体的な形態は、図１の場合と同様である。
【００１７】
以下実施例に従って説明する。
【実施例】
【００１８】
実施例においては、図３に示すように、濾過用水路３の濾過土３１内に、複数個の空気透過孔５１を有する空気透過パイプを埋設したことを特徴としている。
【００１９】
前記通気パイプ５に対しては、濾過槽外からポンプ（図示せず）によって空気の圧入が行われているが、通気パイプ５から噴出した空気は、濾過土３１中を通過する過程において、濾過土３１及び濾過水に対し気泡状態を形成したうえで、酸素を供給することができる。
【００２０】
しかも、濾過土３１内を空気が上昇することによって、濾過土３１と衝突し、当該衝突に伴って、僅かな隙間を生じさせ、濾過作用を活性させることも可能となる。
【産業上の利用可能性】
【００２１】
本発明は、通常のホタル培養施設において、必要に応じて十分利用することが可能である。
【図面の簡単な説明】
【００２２】
【図１】本発明において採用する濾過用水路の構成を示す断面図である。
【図２】濾過用水路と床土及び培養水路との水の供給関係を示す平面図であり、（ａ）は、濾過用水路において水供給口及び排水口を設けている構成を示しており、（ｂ）は、濾過用水路において水の供給口及び水の排出口を設けていない構成を示す。
【図３】実施例の構成を示す断面図である。
【符号の説明】
【００２３】
１    培養水路
２    床土
３    濾過用水路
３１    濾過土
４    導水パイプ
４１    水透過孔
４２    硬質ファイバーマット
５    通気パイプ
５１    空気透過孔
１０    水
【図１】
2005124465.tif 000003
【図２】
2005124465.tif 000004
【図３】
2005124465.tif 000005